(57)【要約】【課題】屋内空間部の天井面に沿って強固に、且つ安全に天井用面状体を吊り張りできる屋内空間部の天井用面状体、及び該屋内空間部の天井用面状体の吊り張り方法を提供することを課題とする。【解決手段】屋内空間部の天井面に応じて形成され、落下防止又は防球用を目的とした面状体から構成されている屋内空間部の天井用面状体において、前記面状体の少なくとも１側辺には、前記面状体の側辺側に沿って連結するための形設体が設けられていることである。【選択図】図１
2020033864.tif 000002
【特許請求の範囲】
【請求項１】
屋内空間部の天井面の形状に応じて形成され、落下防止又は防球用として天井面に沿って吊り張りされる面状体より構成された屋内空間部の天井用面状体において、前記面状体の少なくとも１側辺には、該１側辺に沿って取り付ける形設体が取付手段を介して取り付けられ、且つ前記形設体は、直接的に又は間接的に天井面又は天井側壁に取り付けることを特徴とする屋内空間部の天井用面状体。
【請求項２】
前記面状体には又は前記形設体には、所望の長さを有する垂れ面状体が取り付けられていることを特徴とする請求項１に記載の屋内空間部の天井用面状体。
【請求項３】
屋内空間部の天井面の形状に応じて形成され、落下防止又は防球を目的とする面状体を天井面に取り付けることで面状体を吊り張りする屋内空間部の天井用面状体の吊り張り方法において、前記面状体の少なくとも１側辺に沿って取付手段を介して形設体を一体的に取り付けた後、前記形設体を直接的に又は間接的に天井面又は天井側壁に取り付けることで天井面に沿って面状体を吊り張りすることを特徴とする屋内空間部の天井用面状体の吊り張り方法。
【発明の詳細な説明】
【技術分野】
【０００１】本願発明は、各種スポーツの練習、試合用として使用する屋内空間部、又は災害時の避難所として使用する屋内空間部の天井面に沿って、防球・防護又は落下防止を目的として吊り張りする屋内空間部の天井用面状体、及び該屋内空間部の天井用面状体の吊り張り方法に関する。
【背景技術】
【０００２】従来、屋内空間部の天井面に沿って防球・防護又は落下防止を目的とする天井用面状体は、天井面に沿って網目構造状に取り付けるロープ体と、該ロープを利用して直接又は間接的に連結するネット体とから構成され、前記ネット体を天井面に吊り張りする場合は、天井面に沿って（天井の梁部分を利用する場合は、該梁に沿って、及び梁と交差する方向に沿って）複数本のロープ体を網目構造状に架け渡した後、該ロープ体を利用して連結具を介して天井面の形状に応じて形成されたネット体を連結することで、天井面に沿ってネット体を吊り張りする。【０００３】これにより、梁部分のみでネット体を連結する方法に比し強固に天井面に沿ってネット体の吊り張りができ、防球・防護用として適切に対応することができる。【０００４】または、天井面に軽量の天井板の設けられた屋内空間部では、前記天井板を固定すべく天井面に固定された吊りボルトを利用して該吊りボルトに直接又は間接的（レール等）にネット体を取り付けることで、天井板の下方側に沿ってネット体を吊り張りする。【０００５】また、屋内空間部の天井側に固定状態で吊り張りする垂れネット体は、天井の梁部分、又は天井面に沿って取り付けたロープ体を介して一端側を取り付けることで吊り張りされている。
【発明が解決しようとする課題】
【０００６】しかしながら上記従来の天井用のネット体は、天井面の梁部分、又は天井板を固定する天井面の吊りボルトを利用してネット体を連結するために、ネット体の天井面への連結位置が限定されるという欠点があった。
【０００７】また、ネット体の各側辺側の固定は、ネット体の形状を維持する各側辺側に設けられた補強用ロープと前記ロープ体とを連結するために、前記連結部分の強度が弱く安定した防球・防護用として使用できない欠点があった。
【０００８】しかも、ネット体の側辺側と天井側壁との間に隙間部分が生じる欠点があった。
【０００９】また、前記ネット体の荷重等により、ネット体を持ち上げての梁部分、前記ロープ体及び吊りボルトとネット体との連結作業が煩雑であり、その作業効率が悪いという欠点があった。
【００１０】また、天井面の防球用として径の相違する球技の適切な防球として、また天井面より落下する落下物の大小を確実な防護としては、１枚のネット体のみでは十分な効果を得ることができない欠点があった。
【００１１】さらに、あらゆる屋内空間部でネット体のみを使用しているために、小さな落下物に対しては、落下防止機能が不十分であるという欠点があった。
【００１２】また、天井面に防球・防護用としての垂れネット体を取り付けるとき、垂れネット体の一端側を天井用に沿って直接取り付けるために、その取り付け作業が煩雑であるという欠点があった。
【００１３】そこで、本願発明は屋内空間部において、天井面に沿って容易に面状体、又は垂れ面状体を連結でき、しかも確実に落下防止又は防球・防護用として使用でき、しかも作業効率の優れた屋内空間部の天井用面状体、及び該屋内空間部の天井用面状体の吊り張り方法を提供することを課題とする。
【問題を解決するための手段】
【００１４】本願発明の上記課題を解決する手段としての屋内空間部の天井用面状体は、請求項１に記載のように、屋内空間部の天井面の形状に応じて形成され、落下防止又は防球用として天井面に沿って吊り張りされる面状体より構成された屋内空間部の天井用面状体において、前記面状体の少なくとも１側辺には、該１側辺に沿って取り付ける形設体が取付手段を介して取り付けられ、且つ前記形設体は、直接的に又は間接的に天井面又は天井側壁に取り付けることを特徴とする。
【００１５】また、本願発明の上記課題を解決する手段としての屋内空間部の天井用面状体は、請求項２に記載のように、前記面状体には又は前記形設体には、所望の長さを有する垂れ面状体が取り付けられていることを特徴とする。
【００１６】また、本願発明の上記課題を解決する手段としての屋内空間部の天井用面状体の吊り張り方法は、請求項３に記載のように、屋内空間部の天井面の形状に応じて形成され、落下防止又は防球を目的とする面状体を天井面に取り付けることで面状体を吊り張り屋内空間部の天井用面状体の吊り張り方法において、前記面状体の少なくとも１側辺に沿って取付手段を介して形設体を一体的に取り付けた後、前記形設体を直接的に又は間接的に天井面又は天井側壁に取り付けることで天井面に沿って天井用面状体を吊り張りすることを特徴とする。
【発明の作用効果】
【００１７】次に、本願発明の屋内空間部の天井用面状体、及び該屋内空間部の天井用面状体の吊り張り方法の作用効果を説明する。
【００１８】先ず、請求項１に記載の屋内空間部の天井用面状体は、屋内空間部の天井面の形状に応じて形成され、落下防止又は防球を目的とした面状体と、該面状体を天井面に取り付ける取付手段を介して前記面状体に取り付けられた形設体とから構成されている。
【００１９】前記面状体は吊り張りする天井面の部分に沿った大きさに形成され、落下防止又は防球用を目的して形成されている。
【００２０】前記形設体は、前記面状体の少なくとも１つの側辺に沿って取り付けるべく長尺状等所望の長さに形成され、前記取付手段を介して前記形設体と前記面状体の選択した側辺側とを連結している。これにより、前記形設体と前記面状体は強固に連結することができる。
【００２１】また、前記形設体は、天井面の形状等を考慮して前記面状体のすべての側辺側、或いは対向する側辺等選択して取り付けることで、天井面又は天井側壁への面状体の取り付け状態を最適な状態とすべく自在に選択できる。
【００２２】このように、本願請求項１に記載の屋内空間部の天井用面状体は、天井面又は天井側壁へ形設体を介して直接的に又は間接的に取り付けるために、強固に面状体を天井面又は天井側壁に取り付けでき、落下防止用として又は防球・防護用としての安全性を確保することができる。
【００２３】また、形設体が天井面等へ取付手段を介して面状体と取り付けられているためにその連結が容易であり、スムーズな取り付け作業が行える。
【００２４】さらに、形設体と面状体の側辺との取り付け位置を自在に選択でき、あらゆる天井面又は天井側壁に沿って面状体を吊り張りできる。
【００２５】次に、請求項２に記載の屋内空間部の天井用面状体は、前記請求項１の構成において、天井面に形設体を介して取り付けられた面状体を利用して、所望の長さを有する垂れ面状体を取り付ける。
【００２６】又は、前記面状体を取り付けた形設体を利用して、所望の長さを有する垂れ面状体を取り付ける。
【００２７】この際、予め前記面状体又は前記形設体に垂れ面状体の上端側を連結する連結手段を取り付けておくことで、容易に垂れ面状体を天井面に沿って取り付けできる。
【００２８】このように、本願請求項２に記載の屋内空間部の天井用面状体は、垂れ面状体を前記面状体又は前記形設体を利用して安全に且つ容易に取り付けできる。
【００２９】しかも、面状体又は形設体を利用して取り付けるので、垂れ面状体の取り付け位置も自在に選択することができる。
【００３０】また、垂れ面状体を面状体又は形設体に取り付けするために、その形状、又は大きさを選択することができる。
【００３１】次に、請求項３に記載の屋内空間部の天井用面状体の吊り張り方法は、先ず、天井面の形状に応じて面状体を形成し、落下防止又は防球用を目的として使用する。
【００３２】その後、前記面状体の少なくとも１側辺に沿って取付手段を介して形設体を連結する。これにより、面状体の側辺側を強固にすることができる。
【００３３】そして、前記形設体は直接的に又は間接的に天井面に取り付けることで、面状体を天井面又は天井側壁に沿って確実に吊り張りすることができる。
【００３４】このように、本願請求項３に記載の屋内空間部の天井用面状体の吊り張り方法は、天井面に沿ってスムーズに取り付けでき、その作業工程が容易であり、優れた作業効率を有する。
【００３５】また、面状体への形設体の取り付け位置を選択することで、あらゆる天井面に沿って面状体を確実に吊り張りでき、安全性の面で優れた効果を得ることができる。
【００３６】さらに、形設体を用い天井面に取り付けるために、強固に天井面に沿って面状体を吊り張りでき、落下防止又は防球・防護用としての優れた効果を得ることができる。
【発明を実施するための最良の形態】
【００３７】本願発明の屋内空間部の天井用面状体、及び該屋内空間部の天井用面状体の吊り張り方法について図面を用いて説明する。【００３８】図１は本願発明の屋内空間部の天井用面状体の一実施例を示す概略説明平面図であり、図２は面状体と形設体との取り付けの一実施例を示す概略説明側面図であり、図３は形設体への架設用ロープの取り付けの他実施例を示す概略説明平面図であり、図４は架設用ロープを用いない形設体の他実施例を示す概略説明平面図であり、図５及び図６は形設体の他実施例を示す概略説明平面図であり、図７は天井用面状体の吊り張り状態の一実施例を示す概略説明側面図であり、図８、図９及び図１０は天井用面状体の吊り張り状態の他実施例を示す概略説明側面図であり、図１１は取付具を用いて形設体への面状体の取り付けの一実施例を示す概略説明平面図であり、図１２は取付具を用いて形設体への面状体の取り付けの他実施例を示す概略説明平面図であり、図１３は分割面状体の一実施例を示す概略説明平面図であり、図１４及び図１５は分割面状体の他実施例を示す概略説明側面図であり、図１６は面状体をネット体とシート体とで構成した一実施例を示す概略説明側面であり、図１７、図１８は面状体をネット体とシート体とで構成した他実施例を示す概略説明平面図であり、図１９は面状体に取り付けた垂れ面状体の一実施例を示す概略説明正面図であり、図２０は形設体に取り付けた垂れ面状体の一実施例を示す概略説明正面図であり、図２１は垂れ面状体の構成の一実施例を示す概略説明正面図である。【００３９】図２２及び図２３は本願発明の屋内空間部の天井用面状体の吊り張り方法のフローチャートである。【００４０】本願発明の屋内空間部の天井用面状体１は、屋内空間部の天井面の形状に応じて矩形状に形成され、各側辺２ａに形状を維持する補強手段としての補強用ロープ３の設けられた面状体２と、該面状体２の各側辺２ａに沿って取り付けられる形設体４とから構成されている。【００４１】前記面状体２の補強用ロープ３は、面状本体８の各側辺２ａに編み込む、又は筒状に形成した側辺２ａに挿通することで面状本体８と一体的に取り付けられている。【００４２】尚、前記補強手段は補強用ロープ３に限定されるものでなく、帯状の補強体（図示せず）を用いることも可能である。要は面状本体８の各側辺２ａに一体的に取り付けられ、面状体２の形状を維持することができるならものならよく、前記補強用ロープ３を使用する場合でも、２本等複数本を取り付けその強度を強化することも可能であり、また帯状の補強体の幅等自在に調整してその強度を強化することができる。【００４３】前記面状体２は通常１枚の面状本体８で構成されているが、本願発明の面状体２はこれに限定されるものでなく、例えば、密度の相違する２枚の面状本体８をそれぞれが隙間を有して構成、又はそれ以上の枚数が隙間を有して一体的に形成することも可能である。【００４４】また、密度の相違する２枚の面状本体８を重ねて構成することも可能である。【００４５】また、天井面の形状、大きさに応じて面状体２又は複数の分割面状体２Ａで形成することも可能である。【００４６】前記各分割面状体２Ａの形状、大きさはそれぞれ自在に形成可能であり、これにより、各分割面状体２Ａ毎に天井面に取り付けでき、あらゆる天井面に対応することができる。【００４７】前記分割面状体２Ａへの形設体４の取り付けは、それぞれの分割面状体２Ａに個別に取り付け、又は各分割面状体２Ａの近接する側辺に沿って一体的に取り付けすることも可能である。【００４８】また、天井面に天井板１０が取り付けられている場合は、一般的には面状体２を天井板１０の下方側に吊り張りするが、本願発明において、面状体２の取り付け位置はこれに限定されるものでなく、例えば、天井板１０の上下方向にそれぞれ吊り張り、又は天井板１０の上方側のみに吊り張りすることも可能である。【００４９】前記形設体４は矩形状の枠に形成され、前記面状体２の各側辺２Ａの補強用ロープ３部分を連結する略Ｌ字状の連結部５と前記補強用ロープ３と形設体４とを固定する連結紐６が取り付けられている。【００５０】尚、補強用ロープ３と形設体４との取付手段は上記連結部５と連結紐６に限定されるものでなく、形設体４に別体のレール（図示せず）を取り付け、該レールに沿って補強用ロープ３を直接的に又は間接的に取り付けることも可能である。要は、形設体４が強固に面状体２に取付又は連結できるなら、その取付手段は問うものではない。【００５１】又、形設体４への面状体２の取り付けは、上記補強用ロープ３と直接取り付けするのに限定されるものでなく、面状体２の天井面又は天井側壁への取付具２０を用いて形設体４へ取り付けることで間接的に取り付けることも可能である。【００５２】また、上記取付具２０を面状体２に取り付けた架設用ロープ７に連結し、該取付具２０を介して形設体４に取り付けることも可能である。【００５３】前記形設体４には、少なくとも１方向に沿って複数本の架設用ロープ７が面状体２に編み込むことで架け渡され、面状体２の吊り張り強度を強化することができる。【００５４】前記架設用ロープ７の架け渡さす方向は、前記一方向に限定されるものでなく、前記面状体２の面積が大面積である場合は、前記架設用ロープ７を交差する方向に架け渡すことも可能である。【００５５】前記架設用ロープ７は必須の構成ではなく、面状体２の面積に応じて前記形設体４のみに面状体２を連結することも可能である。【００５６】また、前記形設体４は前記のように矩形状の形状に限定されるものでなく、面状体２の対向する側辺側２ａのみに並行に取り付けることで、屋内空間部の対向する側壁側又は梁部分を利用して形設体４を取り付けることで、面状体２を吊り張りすることも可能である。【００５７】または、前記形設体４を略Ｌ字状に形成し、面状体２の近接する側辺側２ａに沿って取り付ける、又は複数本の略Ｌ字状の形設体４を組み合わせることで、該側辺側２ａ側のみを強固にして屋内空間部の側壁側又は梁部分を利用して面状体２を強固に吊り張りすることも可能である。【００５８】前記面状体２又は前記分割面状体２Ａと前記形設体４との取り付けは、前記補強用ロープ３部分の連結に限定されるものでなく、面状体２の補強用ロープ３部分に取り付けられた側壁等への取付具２０を介して形設体４に取り付けることも可能である。【００５９】前記面状体２の構成は、ネット体２Ｃに限定されるものでなく、ネット体２Ｃとシート体２Ｂとで構成することも可能である。この際、ネット体２Ｃとシート体２Ｂとの組み合わせは下記のように自在に組み合わせすることができる。【００６０】即ち、第１の構成としてネット体２Ｃとシート体２Ｂとを同形状に形成し、上下に重ねるように構成、又は上下に所望の距離を有して面状体２を構成する。又は複数枚を用いて、例えば２枚のネット体２Ｃ間にシート体２Ｂを位置、又は２枚のシート体２Ｂ間にネット体２Ｃを位置する等、屋内空間部の形状に応じて自在に組み合わせする。【００６１】又は、第２の構成としてネット体２Ｃとシート体２Ｂとの形状が相違する場合は、ネット体２Ｃの周縁にシート体２Ｂを取り付け、又はシート体２Ｂの周縁にネット体２Ｃを取り付ける。又はネット体２Ｃの一部にシート体２Ｂを（帯状、又は矩形状等）取り付ける。【００６２】このように、面状体２をネット体２Ｃとシート体２Ｂとで構成することで、天井面よりの細かな落下物をシート体２Ｂで防止するとともに、他の落下物をネット体２Ｃで又はネット体２Ｃとシート体２Ｂとで防止することができ、避難時の安全性を確保することができ、また、ネット体２Ｃとシート体２Ｂとで打球速度の緩衝材として使用することができ、防球・防護用としても適切に使用することができる。【００６３】さらに、前記面状体２をシート体２Ｂのみで構成することで、落下防止効果のみに特化した構成とすることも可能である。【００６４】このように、前記面状体２の構成は、ネット体２Ｃ、ネット体２Ｃとシート体２Ｂ、又はシート体２Ｂ等使用目的、使用個所、又は形成する大きさに応じて最適な面状体２を自在に構成することができる。【００６５】また、前記面状体２としてのネット体２Ｃ、又はシート体２Ｂに、連結手段としての連結具（図示せず、例えば、金具、紐状体等）を介して屋内空間部の天井側上部の形状に応じて形成された垂れ面状体１６（前記面状体と同様にネット体２Ｃ、ネット体２Ｃとシート体２Ｂ、又はシート体２Ｂで構成）の上端側を連結することで、固定状態の垂れ面状体１６を吊り張りすることも可能である。【００６６】尚、前記垂れ面状体１６は前記面状体２に連結することに限定されるものでなく、分割面状体２Ａの場合は前記形設体４を利用して垂れ面状体１６を連結することも可能である。【００６７】本願発明の屋内空間部の天井用面状体１は上記のように構成され、次に、屋内空間部の天井面に沿って天井面状体１を吊り張りする場合について説明する。【００６８】本願発明の天井用面状体１は、天井面の形状、構造を確認し、天井板１０がない場合と天井板１０がある場合とにより、その取り付け方法は相違する。【００６９】実施例１は天井板１０がない場合について説明する。
【実施例１】
【００７０】先ず、天井面の形状に応じて面状本体８を形成し、該面状本体８の各側辺側２ａに沿って側辺の補強手段としての補強用ロープ３を取り付けることで、面状体２を構成する。【００７１】前記補強用ロープ３は別体の紐体等を介して一体的に取り付けることで、面状体２の形状を維持することができる。【００７２】次に、天井面の側壁側又は梁部分に沿って取り付けるための矩形状の形設体４を形成し、該形設体４の内側に形成された連結部５に前記面状体２の補強用ロープ３部分を係止した後、連結紐６で一体的に連結することで、前記形設体４に面状体２を取り付ける。【００７３】その後、前記形設体４を天井面の側壁側又は梁部分を利用して固定することで、天井面に沿って面状体２を吊り張りすることができる。【００７４】この際、前記面状体２は前記形設体４を介して天井面に取り付けられているために、強固に天井面に取り付けでき、落下防止、又は防球・防護用としての優れた効果を得ることができる。【００７５】前記面状体２は１枚の面状本体８で構成されたが、本願発明において、面状体２の枚数は１枚の面状本体８に限定されるものでなく、網目構造の相違する２枚等複数枚の面状本体８を密接して構成することも可能である。【００７６】この場合、それぞれ網目構造の相違する面状体２を用いることで、天井面よりの種々（寸法の相違する）の落下物を受け止め、屋内空間部を安全に使用することができ、又は打球の緩衝効果を向上することができる。【００７７】また、屋内空間部の使用目的に応じて最適な面状体を形成することで、より効果的な落下防止効果、又は防球・防護効果を得ることができる。【００７８】実施例２は天井板１０がある場合について説明する。
【実施例２】
【００７９】先ず、天井板１０の設けられた天井面の形状に応じて面状本体８を形成し、該面状本体８の各側辺側２ａに沿ってそれぞれ補強用ロープ３を取り付けることで、面状体２を構成する。【００８０】前記補強用ロープ３の面状本体８への取り付けは別体の紐体等を介して一体的に取り付けることで、該補強用ロープ３で面状体２の形状を維持することができる。【００８１】次に、前記面状体２を天井面に取り付けるために、前記補強用ロープ３を利用して連結紐６を用いて矩形状の形設体４を取り付ける。【００８２】その後、前記面状体２の設けられた前記形設体４を天井の側壁側に取り付けることで天井板１０の下方側に沿って面状体２を吊り張りすることができる。【００８３】また、前記形設体４の一方向に沿って複数本の架設用ロープ７を架け渡すことで、前記架設用ロープ７は面状体２に取り付けられ、前記架設用ロープ７を用いて前記天井板１０に固定した吊りボルト１２の延長線上の下端側で連結することで、複数本の吊りボルト１２と前記面状体２とを複数箇所で連結でき、確実な面状体２の吊り張りを可能とする。【００８４】このため、前記面状体２は前記形設体４を介して天井面に取り付けられているために、強固に取り付けできる。【００８５】また、上記実施例では、前記面状体２は天井板１０の下方側に１枚取り付けたが、前記面状体２の枚数は１枚に限定されるものでなく、網目構造の密度の相違する面状本体８を用いて複数枚の面状体２を形成し、それぞれ間隔を有して取り付けることで、天井面よりの径又は面積の相違する落下物を確実に防護することができる。【００８６】また、上記実施例では、前記面状体２は天井板１０の下方側に取り付けたが、面状体２の取り付け位置は上記実施例に限定されるものでなく、天井板１０が強固に取り付けられている場合は、該天井板１０の上方に面状体２を吊り張りすることで、天井面よりの落下物を前記面状体２で受け止め、天井板１０への落下を防止することができる。【００８７】さらに、前記面状体２を天井板１０の上下方向でそれぞれ網目構造の相違する面状体２をそれぞれ吊り張りすることで、天井面よりの落下、及び天井板１０よりの落下もそれぞれ別体の面状体２で防護することも可能である。【００８８】このように、本願発明の屋内空間部の天井用面状体１は、形設体４を介して面状体２を連結するために、その取り付けが強固であり、確実に天井面に沿って面状体２を吊り張りできる。【００８９】また、形設体４を用いて面状体２を取り付けるために、面状体２を確実に広げた状態で吊り張りできる。【００９０】また、面状体２の吊り張り作業が容易であり、スムーズな吊り張り作業を行うことができる。【００９１】実施例３は分割面状体２Ａを用いる場合について説明する。
【実施例３】
【００９２】天井面に沿って、面状体２を２又は複数枚の面状本体８で形成し、該各面状本体８の各側辺２ａに形状を維持する補強用ロープ３を取り付けることで、分割面状体２Ａを形成する。【００９３】その後、前記各分割面状体２Ａの各端辺２ａに沿って前記補強用ロープ３を介して形設体４を取り付ける。前記形設体４は略矩形状に形成され、各分割面状体２Ａの側辺２ａに沿って取り付けできる。【００９４】前記形設体４の形状は前記略矩形状に限定されるものでなく、各分割面状体２Ａの対向する側辺２ａに沿って並行に取り付けることも可能である。【００９５】前記分割面状体２Ａはそれぞれ別々に天井面に沿って、又は天井側壁に形設体４を取り付けることで、分割面状体２Ａを吊り張りする。【００９６】また、取付具を介して前記分割面状体２Ａを間接的に形設体４に取り付けることで、前記分割面状体２Ａが弾性を有した状態で取り付けでき、防護用としての効果的に利用することができる。【００９７】また、前記形設体４の取り付け位置は前記天井側壁に限定されるものでなく、所望の間隔を有して取り付けることで、天井面の必要とする部分のみに分割面状体２Ａを吊り張りすることも可能である。【００９８】このように、分割面状体２Ａを利用することで、あらゆる形状、条件の天井面に沿って吊り張りでき、安全性を確保することができる。【００９９】また、分割した分割面状体２Ａをそれぞれ天井面又は天井側壁に沿って取り付けでき、その作業工程をスムーズに行うことができる。
【実施例４】
【０１００】前記面状体２をネット体２Ｃとシート体２Ｂとで構成した場合について説明する。【０１０１】面状体２をネット体２Ｃ及びシート体２Ｂで構成する場合は、ネット体２Ｃの上方にシート体２Ｂを吊り張り、又はネット体２Ｃの下方にシート体２Ｂを吊り張りする。【０１０２】この際、前記ネット体２Ｃとシート体２Ｂとの間の距離は自在に調整可能で、ネット体２Ｃとシート体２Ｂとを所望の距離を有して吊り張り、又はネット体２Ｃとシート体２Ｂとを密接して吊り張りすることも可能である。【０１０３】ネット体２Ｃとシート体２Ｂとを所望の距離を有して吊り張りすると、落下物の大小に応じてネット体２Ｃとシート体２Ｂとで防止でき、確実な落下防止効果を得ることができる。【０１０４】また、ネット体２Ｃとシート体２Ｂとで二重構造でなり、高い緩衝効果を得ることができ、防球・防護用として使用することができる。【０１０５】また、ネット体２Ｃとシート体２Ｂとを密接した状態で吊り張りすることで、その吊り張り作業を簡略化でき、且つ落下防止効果、又は防球・防護効果を向上することができる。【０１０６】前記シート体２Ｂもネット体２Ｃも形状維持の補強手段としての補強用ロープ３を周縁部に設けることで、該補強部分を利用して形設体４に一体的に、又はそれぞれ個別に連結することができる。【０１０７】尚、前記ネット体２Ｃとシート体２Ｂとの構成は上記構成に限定されるものでなく、ネット体２Ｃの一部にシート体２Ｂを取り付ける構成も可能である。【０１０８】即ち、天井面の照明器具の設置位置に沿って前記ネット体２Ｃに帯状のシート体２Ｂを取り付けることで、照明器具の落下防止用として構成してもよく、またシート体２Ｂの周縁部にネット体２Ｃを取り付けることで、天井面全体の落下防止用として構成することも可能である。【０１０９】また、前記分割面状体２Ａは隣合う分割面状体２Ａ間は隙間部分がないが、各分割面状体２Ａ間に空間部が形成される場合（例えば、天井面に取り付けられた照明器具部分）は、各分割面状体２Ａの形設体４を利用してシート体２Ｂを前記空間部に沿って取り付けることで、照明器具の落下防止用として使用することも可能である。【０１１０】また、ネット体２Ｃとシート体２Ｂとの枚数は１枚づつに限定されるものでなく、２枚のネット体２Ｃ間にシート体２Ｂを吊り張りする構成でもよく、また２枚のシート体２Ｂの間にネット体２Ｃを吊り張りする構成でもよく、落下防止効果、又は防球・防護効果の向上を目的とするならば、その枚数は限定されるものでない。【０１１１】尚、上記実施例では、面状体２をネット体２Ｃとシート体２Ｂとで構成したが、本願発明において、面状体２の構成はこれに限定されるものでなく、シート体２Ｂのみで構成することも可能である。【０１１２】この場合、シート体２Ｂのみで落下防止、又は防球・防護として使用することができ、また、その取り付け作業を簡略化できる。【０１１３】このように、面状体２を、ネット体２Ｃ、ネット体２Ｃとシート体２Ｂ、又はシート体２Ｂで構成するとともに、その吊り張り位置、枚数を自在に選択することで、あらゆる屋内空間部の形状等に応じて最適な面状体を自在に選択することができる。
【実施例５】
【０１１４】前記実施例１又は実施例２において、天井面に沿って垂れ面状体１６を取り付ける場合は、前記面状体２に垂れ面状体１６の上端側を連結手段（例えば、連結具、又は連結紐等）で連結することで、容易に且つ確実に垂れ面状体１６を面状体２に吊り張りできる。【０１１５】また、分割面状体２Ａの場合は、複数本の形設体４を利用して垂れ面状体１６を取り付けることで、確実に垂れ面状体１６を吊り張りできる。【０１１６】前記垂れ面状体１６の取り付け方向は、天井面を間仕切りする方向、天井壁面に沿った方向等自在に設定することができる。【０１１７】このように、天井面に沿って面状体２又は分割面状体２Ａを吊り張りすることで、天井面の所望の位置に容易に垂れ面状体１６を吊り張りすることができ、天井面側の空間部の間仕切りを確実に行え、及び／又は防球用として使用することができる。
【図面の簡単な説明】
【０１１８】
【図１】本願発明の屋内空間部の天井用面状体の一実施例を示す概略説明平面図
【図２】面状体と形設体との取り付けの一実施例を示す概略説明側面図
【図３】形設体への架設用ロープの取り付けの他実施例を示す概略説明平面図
【図４】架設用ロープを用いない形設体の他実施例を示す概略説明平面図
【図５】形設体の他実施例を示す概略説明平面図
【図６】形設体の他実施例を示す概略説明平面図
【図７】天井用面状体の吊り張り状態の一実施例を示す概略説明側面図
【図８】天井用面状体の吊り張り状態の他実施例を示す概略説明側面図
【図９】天井用面状体の吊り張り状態の他実施例を示す概略説明側面図
【図１０】天井用面状体の吊り張り状態の他実施例を示す概略説明平面図
【図１１】取付具を用いて形設体への面状体の取り付けの一実施例を示す概略説明平面図
【図１２】取付具を用いて形設体への面状体の取り付けの他実施例を示す概略説明平面図
【図１３】分割面状体の一実施例を示す概略説明平面図
【図１４】分割面状体の他実施例を示す概略説明平面図
【図１５】分割面状体の他実施例を示す概略説明側面図
【図１６】面状体をネット体とシート体とで構成した一実施例を示す概略説明側面図
【図１７】面状体をネット体とシート体とで構成した他実施例を示す概略説明平面図
【図１８】面状体をネット体とシート体とで構成した他実施例を示す概略説明平面図
【図１９】面状体に取り付けた垂れ面状体の一実施例を示す概略説明正面図
【図２０】形設体に取り付けた垂れ面状体の一実施例を示す概略説明正面図
【図２１】垂れ面状体の構成の一実施例を示す概略説明正面図
【図２２】本願発明の屋内空間部の天井用面状体の吊り張り方法を示すフローチャート
【図２３】本願発明の屋内空間部の天井用面状体の吊り張り方法を示すフローチャート
【符号の説明】
【０１１９】１…屋内空間部の天井用面状体、２−ネット体、２Ｂ−シート体、３…補強用ロープ、４…形設体
【図１】
2020033864.tif 000003
【図２】
2020033864.tif 000004
【図３】
2020033864.tif 000005
【図４】
2020033864.tif 000006
【図５】
2020033864.tif 000007
【図６】
2020033864.tif 000008
【図７】
2020033864.tif 000009
【図８】
2020033864.tif 000010
【図９】
2020033864.tif 000011
【図１０】
2020033864.tif 000012
【図１１】
2020033864.tif 000013
【図１２】
2020033864.tif 000014
【図１３】
2020033864.tif 000015
【図１４】
2020033864.tif 000016
【図１５】
2020033864.tif 000017
【図１６】
2020033864.tif 000018
【図１７】
2020033864.tif 000019
【図１８】
2020033864.tif 000020
【図１９】
2020033864.tif 000021
【図２０】
2020033864.tif 000022
【図２１】
2020033864.tif 000023
【図２２】
2020033864.tif 000024
【図２３】
2020033864.tif 000025
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
屋内空間部の天井面の形状に応じて形成され、落下防止又は防球用として天井面に沿って吊り張りされる面状体より構成された屋内空間部の天井用面状体において、前記面状体が１枚の面状体又は複数枚の分割面状体で形成され、且つ前記面状体又は前記分割面状体の少なくとも１側辺には、該１側辺に沿って取り付ける形設体が取り付け手段を介して取り付けられ、且つ前記形設体は、直接的又は間接的に天井面又は天井側壁に取り付けることを特徴とする屋内空間部の天井用面状体。
【請求項２】
前記面状体、前記分割面状体、又は前記形設体には、所望の長さを有する垂れ面状体が取り付けられていることを特徴とする請求項１に記載の屋内空間部の天井用面状体。
【請求項３】
屋内空間部の天井面の形状に応じて形成され、落下防止又は防球を目的とする面状体を天井面に取り付けることで面状体を吊り張りする屋内空間部の天井用面状体の吊り張り方法において、前記面状体を１枚の面状体で形成、又は複数枚の分割面状体で形成し、該面状体又は該分割面状体の少なくとも１側辺に沿って取付手段を介して形設体を一体的に取り付けた後、前記形設体を直接的又は間接的に天井面又は天井側壁に取り付けることで天井面に沿って前記面状体又は前記分割面状体を吊り張りすることを特徴とする屋内空間部の天井用面状体の吊り張り方法。
【手続補正２】
【補正対象書類名】明細書
【補正対象項目名】００１４
【補正方法】変更
【補正の内容】
【００１４】本願発明の上記課題を解決する手段としての屋内空間部の天井用面状体は、請求項１に記載のように、屋内空間部の天井面の形状に応じて形成され、落下防止又は防球用として天井面に沿って吊り張りされる面状体より構成された屋内空間部の天井用面状体において、前記面状体が１枚の面状体、又は複数枚の分割面状体で形成され、且つ前記面状体又は前記分割面状体の少なくとも１側辺には、該１側辺に沿って取り付ける形設体が取付手段を介して取り付けられ、且つ前記形設体には、直接的又は間接的に天井面又は天井側壁に取り付けることを特徴とする。
【手続補正３】
【補正対象書類名】明細書
【補正対象項目名】００１５
【補正方法】変更
【補正の内容】
【００１５】また、本願発明の上記課題を解決する手段としての屋内空間部の天井用面状体は、請求項２に記載のように、前記面状体、前記分割面状体、又は前記形設体には、所望の長さを有する垂れ面状体が取り付けられていることを特徴とする。
【手続補正４】
【補正対象書類名】明細書
【補正対象項目名】００１６
【補正方法】変更
【補正の内容】
【００１６】また、本願発明の上記課題を解決する手段としての屋内空間部の天井用面状体の吊り張り方法は、請求項３に記載のように、屋内空間部の天井面の形状に応じて形成され、落下防止又は防球を目的とする面状体を天井面に取り付けることで面状体を吊り張り屋内空間部の天井用面状体の吊り張り方法において、前記面状体を１枚の面状体又は複数枚の分割面状体で形成し、該面状体又は該分割面状体の少なくとも１側辺に沿って取付手段を介して形設体を一体的に取り付けた後、前記形設体を直接的又は間接的に天井面又は天井側壁に取り付けることで天井面に沿って前記面状体又は前記分割面状体を吊り張りすることを特徴とする。
【手続補正５】
【補正対象書類名】明細書
【補正対象項目名】００１９
【補正方法】変更
【補正の内容】
【００１９】前記面状体は吊り張りする天井面に沿って１枚の面状体又は複数枚の分割面状体で形成され、落下防止又は防球を目的としている。
【手続補正６】
【補正対象書類名】明細書
【補正対象項目名】００２０
【補正方法】変更
【補正の内容】
【００２０】前記形設体は、前記面状体又は前記分割面状体の少なくとも１つの側辺に沿って取り付けるべく長尺状等所望の長さに形成され、前記取付手段を介して前記形設体と、前記面状体又は前記分割面状体の選択した側辺側とを連結している。これにより、前記形設体と前記面状体又は前記分割面状体は強固に連結することができる。
【手続補正７】
【補正対象書類名】明細書
【補正対象項目名】００２１
【補正方法】変更
【補正の内容】
【００２１】また、前記形設体は、天井面の形状等を考慮して前記面状体又は前記分割面状体のすべての側辺側、或いは対向する側辺側等選択して取り付けることで、天井面又は天井側壁への面状体又は分割面状体の取り付け状態を最適な状態とすべく自在に選択できる。
【手続補正８】
【補正対象書類名】明細書
【補正対象項目名】００２２
【補正方法】変更
【補正の内容】
【００２２】このように、本願請求項１に記載の屋内空間部の天井用面状体は、天井面又は天井側壁へ形設体を介して直接的又は間接的に取り付けるために、強固に面状体又は分割面状体を天井面又は天井側壁に取り付けでき、落下防止又は防球・防護用としての安全性を確保することができる。
【手続補正９】
【補正対象書類名】明細書
【補正対象項目名】００２３
【補正方法】変更
【補正の内容】
【００２３】また、形設体が天井面等へ取付手段を介して面状体又は分割面状体に取り付けられているために、その連結が容易であり、スムーズな取り付け作業を行うことができる。
【手続補正１０】
【補正対象書類名】明細書
【補正対象項目名】００２４
【補正方法】変更
【補正の内容】
【００２４】さらに、形設体と面状体又は分割面状体の側辺との取り付け位置を自在に選択でき、あらゆる天井面又は天井側壁に沿って面状体又は分割面状体を吊り張りできる。
【手続補正１１】
【補正対象書類名】明細書
【補正対象項目名】００２５
【補正方法】変更
【補正の内容】
【００２５】次に、請求項２に記載の屋内空間部の天井用面状体は、前記請求項１の構成において、天井面に形設体を介して取り付けられた面状体又は分割面状体を利用して、所望の長さを有する垂れ面状体を取り付ける。
【手続補正１２】
【補正対象書類名】明細書
【補正対象項目名】００２６
【補正方法】変更
【補正の内容】
【００２６】又は、前記面状体又は前記分割面状体に取り付けた形設体を利用して、所望の長さを有する垂れ面状体を取り付ける。
【手続補正１３】
【補正対象書類名】明細書
【補正対象項目名】００２７
【補正方法】変更
【補正の内容】
【００２７】この際、予め前記面状体、前記分割面状体又は前記形設体に垂れ面状体の上端側を連結する連結手段を取り付けておくことで、容易に垂れ面状体を天井面に沿って取り付けできる。
【手続補正１４】
【補正対象書類名】明細書
【補正対象項目名】００２８
【補正方法】変更
【補正の内容】
【００２８】このように、本願請求項２に記載の屋内空間部の天井用面状体は、垂れ面状体を前記面状体、前記分割面状体又は前記形設体を利用して安全に且つ容易に取り付けできる。
【手続補正１５】
【補正対象書類名】明細書
【補正対象項目名】００２９
【補正方法】変更
【補正の内容】
【００２９】しかも、面状体、分割面状体又は形設体を利用して取り付けるので、垂れ面状体の取り付け位置も自在に選択することができる。
【手続補正１６】
【補正対象書類名】明細書
【補正対象項目名】００３０
【補正方法】変更
【補正の内容】
【００３０】また、垂れ面状体を面状体、分割面状体又は形設体に取り付けするために、その形状、又は大きさを選択することができる。
【手続補正１７】
【補正対象書類名】明細書
【補正対象項目名】００３１
【補正方法】変更
【補正の内容】
【００３１】次に、請求項３に記載の屋内空間部の天井用面状体の吊り張り方法は、先ず、天井面の形状に応じて１枚の面状体又は複数枚の分割面状体を形成し、落下防止又は防球用を目的として使用する。
【手続補正１８】
【補正対象書類名】明細書
【補正対象項目名】００３２
【補正方法】変更
【補正の内容】
【００３２】その後、前記面状体又は前記分割面状体の少なくとも１側辺に沿って取付手段を介して形設体を連結する。これにより、前記面状体又は前記分割面状体の側辺側を強固にすることができる。
【手続補正１９】
【補正対象書類名】明細書
【補正対象項目名】００３３
【補正方法】変更
【補正の内容】
【００３３】そして、前記形設体は直接的又は間接的に天井面に取り付けることで、前記面状体又は前記分割面状体を天井面又は天井側壁に沿って確実に吊り張りすることができる。
【手続補正２０】
【補正対象書類名】明細書
【補正対象項目名】００３５
【補正方法】変更
【補正の内容】
【００３５】また、面状体又は分割面状体への形設体の取り付け位置を選択することで、あらゆる天井面に沿って面状体又は分割面状体を確実に吊り張りでき、安全性の面で優れた効果を得ることができる。